(57)【要約】      （修正有）【課題】掃除をしているときは塵取として使用でき、掃除をしていないときはゴミ箱として使用できるゴミ入れを提供する。【解決手段】ゴミ入れ１は、ゴミを収容する袋体３０が取り付けられる枠体１０と、枠体を保持する保持体２０と、を有してなる。枠体は、保持体に保持される下板部と、下板部に対向して配置される上板部と、下板部と上板部それぞれと接続する２枚の側板部と、ゴミの挿入口となる第１開口と、袋体の出入口に装着される第２開口と、を備える。第１開口と第２開口とは、下板部と上板部と側板部とで構成される。保持体は、下板部を保持する保持部を備える。枠体は、保持体と着脱自在である。第２開口は、出入口の内側に配置される。【選択図】図１
0003230657.tif 000002
【実用新案登録請求の範囲】
【請求項１】
ゴミを収容する袋体が取り付けられる枠体と、
前記枠体を保持する保持体と、
を有してなり、
前記枠体は、
前記保持体に保持される下板部と、
前記下板部に対向して配置される上板部と、
前記下板部と前記上板部それぞれと接続する２枚の側板部と、
前記ゴミの挿入口となる第１開口と、
前記袋体の出入口に装着される第２開口と、
を備え、
前記第１開口と前記第２開口とは、前記下板部と前記上板部と前記側板部とで構成され、
前記保持体は、
前記下板部を保持する保持部、
を備え、
前記枠体は、前記保持体と着脱自在であり、
前記第２開口は、前記出入口の内側に配置される、
ことを特徴とするゴミ入れ。
【請求項２】
前記側板部は、
前記袋体を係止する係止部、
を備える、
請求項１記載のゴミ入れ。
【請求項３】
前記袋体は、
前記ゴミを収容する収容部と、
前記収容部に連設する持手部と、
を備え、
前記係止部は、前記持手部の一部が挿入される切欠である、
請求項２記載のゴミ入れ。
【請求項４】
前記枠体を操作する使用者に握られるハンドル、
を有してなり、
前記ハンドルは、前記上板部の外面に取り付けられる、
請求項１記載のゴミ入れ。
【請求項５】
前記保持体は、
前記枠体が取り付けられる被取付部材に係合する係合部、
を備え、
前記係合部の側面視形状は、略コ字状であり、
前記被取付部材は、前記係合部の略コ字状の空間内に配置される、
請求項１記載のゴミ入れ。
【請求項６】
前記保持部は、金属製で、
前記下板部は、磁石を備え、
前記枠体は、前記磁石の磁力で前記保持体に保持される、
請求項１記載のゴミ入れ。
【請求項７】
前記保持部は、前記下板部の前記第２開口側の端部を保持する、
請求項１記載のゴミ入れ。
【請求項８】
前記保持体は、
前記下板部の前記第２開口側の前記端部が前記保持部に保持されているとき、前記下板部の前記第１開口側の端部の移動を規制する規制部、
を備える、
請求項７記載のゴミ入れ。
【請求項９】
前記保持体は、
矩形状の板部材と、
前記板部材の一端側に取り付けられる第１レール部材、
を備え、
前記第１レール部材は、
前記規制部を構成する第１内溝部、
を備える、
請求項８記載のゴミ入れ。
【請求項１０】
前記保持体は、
前記板部材の他端側に取り付けられる第２レール部材、
を備え、
前記第２レール部材は、
前記保持部を構成する第２内溝部、
を備え、
前記下板部の前記第２開口側の前記端部は、前記第２内溝部に配置される、
請求項９記載のゴミ入れ。
【請求項１１】
前記保持体は、
前記下板部の前記第２開口側の前記端部に当接する弾性材、
を備え、
前記弾性材は、前記第２内溝部に配置される、
請求項１０記載のゴミ入れ。
【請求項１２】
前記下板部の前記第２開口側の前記端部は、前記下板部の前記第１開口側の前記端部が前記第１内溝部に配置された後に、前記第２内溝部に配置される、
請求項１０記載のゴミ入れ。
【考案の詳細な説明】
【技術分野】
【０００１】
本考案は、ゴミ入れに関する。
【背景技術】
【０００２】
掃除の際、床上のゴミを掃き取る道具の一例として、塵取が使用される。一般的に、塵取は、箒などで掃き取られたゴミを一時的に収容する。ゴミが収容された塵取は、塵取の使用者にゴミ箱やゴミ袋まで運ばれて、収容されたゴミがゴミ箱やゴミ袋に捨てられる。しかし、ゴミの量が多いとき、ゴミを収容した塵取をゴミ箱やゴミ袋まで何度も運び、捨てる、という作業が必要となり、手間がかかる。
【０００３】
このような問題を解決するために、ゴミの掃き取りに用いられる塵取に対して、塵取に掃き入れられるゴミを収納するゴミ袋（袋体）が着脱自在に取り付けられた塵取が提案されている（例えば、特許文献１参照）。
【先行技術文献】
【特許文献】
【０００４】
【特許文献１】特開平９−１０８１５７号公報
【０００５】
特許文献１に開示された塵取は、開口下枠と開口上枠とで構成された枠体と、枠体に取り付けられたゴミ袋と、を有してなる。ゴミ袋は、枠体に設けられた取付手段によって、枠体に対して着脱自在に取り付けられる。特許文献１に開示された塵取によれば、掃き取られたゴミは、枠体に取り付けられたゴミ袋内に収容される。ゴミ袋にゴミが溜まったとき、塵取の使用者は、枠体からゴミ袋を外して、ゴミ袋の開口を閉じれば（結べば）よいので、手間が低減される。
【０００６】
しかし、特許文献１に開示された塵取は、部屋の掃除をしているときにのみ使用されるものであり、掃除をしていないときには使用されない。そのため、特許文献１に開示された塵取は、掃除をしていないときに掃除用具入れなどに収納される。すなわち、従来の塵取の用途は、限定される。
【考案の概要】
【考案が解決しようとする課題】
【０００７】
本考案は、掃除をしているときは塵取として使用でき、掃除をしていないときはゴミ箱として使用できるゴミ入れを提供することを目的とする。
【課題を解決するための手段】
【０００８】
本考案に係るゴミ入れは、ゴミを収容する袋体が取り付けられる枠体と、枠体を保持する保持体と、を有してなり、枠体は、保持体に保持される下板部と、下板部に対向して配置される上板部と、下板部と上板部それぞれと接続する２枚の側板部と、ゴミの挿入口となる第１開口と、袋体の出入口に装着される第２開口と、を備え、第１開口と第２開口とは、下板部と上板部と側板部とで構成され、保持体は、下板部を保持する保持部を備え、枠体は、保持体と着脱自在であり、第２開口は、出入口の内側に配置される、ことを特徴とする。
【考案の効果】
【０００９】
本考案によれば、ゴミ入れは、掃除をしているときは塵取として使用でき、掃除をしていないときはゴミ箱として使用できる。
【図面の簡単な説明】
【００１０】
【図１】本考案に係るゴミ入れの実施の形態を示す斜視図である。
【図２】図１のゴミ入れが備える枠体を前方から見た前方斜視図である。
【図３】図２の枠体を後方から見た後方斜視図である。
【図４】図２の枠体の後面図である。
【図５】図２の枠体に袋体が取り付けられた状態を模式的に示す前方斜視図である。
【図６】図１のゴミ入れが備える保持体を前方から見た前方斜視図である。
【図７】図６の保持体を後方から見た後方斜視図である。
【図８】図６の保持体の側面図である。
【図９】図１のゴミ入れを前方から見た前方斜視図である。
【図１０】図９のゴミ入れの側面図である。
【図１１】図１のゴミ入れの使用の一例を示す模式図である。
【図１２】図１のゴミ入れの使用の他の一例を示す模式図である。
【考案を実施するための形態】
【００１１】
本考案に係るゴミ入れは、以下の実施の形態と図面とにより説明される。
【００１２】
以下の説明において、特に断りがない限り、各図に示される相互に直交する３軸をそれぞれＸ軸、Ｙ軸およびＺ軸としたとき、「Ｘ軸方向」は、Ｘ軸に沿う方向であり、本実施の形態では前後方向である。「Ｙ軸方向」は、Ｙ軸に沿う方向であり、本実施の形態では左右方向である。「Ｚ軸方向」は、Ｚ軸に沿う方向であり、本実施の形態では上下方向である。「＋Ｘ軸方向」は、Ｘ軸方向の正の方向であり、本実施の形態では前方である。「−Ｘ軸方向」は、Ｘ軸方向の負の方向であり、本実施の形態では後方である。「＋Ｙ軸方向」は、Ｙ軸方向の正の方向であり、本実施の形態では右方である。「−Ｙ軸方向」は、Ｙ軸方向の負の方向であり、本実施の形態では左方である。「＋Ｚ軸方向」は、Ｚ軸方向の正の方向であり、本実施の形態では上方である。「−Ｚ軸方向」は、Ｚ軸方向の負の方向であり、本実施の形態では下方である。
【００１３】
●ゴミ入れ●
●ゴミ入れの構成
図１は、本考案に係るゴミ入れの実施の形態を示す斜視図である。
同図は、ゴミ入れ１に袋体３０が取り付けられている状態を示す。
【００１４】
ゴミ入れ１は、枠体１０と、保持体２０と、ハンドルＨと、を有してなる。ゴミ入れ１は、塵取あるいはゴミ箱として機能する。
【００１５】
枠体１０は、保持体２０に着脱自在に保持される。枠体１０は、例えば樹脂製で、前後方向が開口する枠型である。枠体１０には、袋体３０が取り付けられる。枠体１０に袋体３０が取り付けられているとき、枠体１０と袋体３０とは、ゴミを入れる容器として機能する。すなわち、ゴミ入れ１は、枠体１０に袋体３０が取り付けられることで使用される。枠体１０が保持体２０から取り外されているとき、枠体１０と袋体３０とは、塵取として機能する。一方、枠体１０が保持体２０に保持されているとき、枠体１０と袋体３０とは、ゴミ箱として機能する。枠体１０の具体的構成は、後述される。
【００１６】
保持体２０は、枠体１０を保持する。保持体２０は、例えば樹脂製である。保持体２０は、後述される被取付部材Ｄ（図１１参照）に取り付けられる。保持体２０の具体的構成については、後述される。
【００１７】
ハンドルＨは、ゴミ入れ１の使用者に握られる。ハンドルＨは、枠体１０の後述される上板部１３（図２参照）の外面（上方の面）に取り付けられる。ハンドルＨは、例えば、上板部１３に対して内面からネジＳ（図４参照）でネジ止めされる。
【００１８】
「使用者」は、枠体１０を操作する者、すなわち、ゴミ入れ１を使用する者である。
【００１９】
袋体３０は、ゴミを収容する。袋体３０は、例えば、スーパーマーケットのレジ袋やコンビニエンスストアのレジ袋である。袋体３０は、収容部３１と持手部３２とを備える。
【００２０】
収容部３１は、内部にゴミを収容する、有底開口の袋状部分である。収容部３１は、袋体３０がレジ袋として使用されるときに商品を収容する部分である。ゴミは、収容部３１の開口から収容部３１の内外に出入りする。すなわち、収容部３１の開口は、本考案における出入口の例である。
【００２１】
持手部３２は、収容部３１に連接する。持手部３２は、枠体１０に係止される。持手部３２は、袋体３０がレジ袋として使用されるとき（収容部に商品を収容したとき）に使用者が持つ部分である。持手部３２の数は、「２」である。
【００２２】
●枠体の構成
図２は、枠体１０を前方から見た前方斜視図である。
図３は、枠体１０を後方から見た後方斜視図である。
図４は、枠体１０の後面図である。
図５は、枠体１０に袋体３０が取り付けられた状態を模式的に示す前方斜視図である。
【００２３】
枠体１０は、第１枠体１０Ａと第２枠体１０Ｂとを備える。第１枠体１０Ａは、第２枠体１０Ｂに接合される。すなわち、枠体１０は、組立体である。第１枠体１０Ａは、第２枠体１０Ｂと共に枠体１０の壁を構成する。第１枠体１０Ａと第２枠体１０Ｂとは、樹脂製である。第１枠体１０Ａは、下板部１１と側板部１２とを備える。第２枠体１０Ｂは、上板部１３と接合部１４とを備える。
【００２４】
下板部１１は、保持体２０（図１参照）に保持される。下板部１１は、ゴミ入れ１を塵取として使用するとき、床（清掃面）に載置される板である。下板部１１は、矩形状である。
【００２５】
側板部１２は、下板部１１と上板部１３それぞれと接続する。側板部１２は、下板部１１の左右の側辺に連接されて、左右の側辺から上方に９０度折り曲げられた板部である。すなわち、側板部１２は、２つの側板部１２（側板部１２ａ，側板部１２ｂ）で構成される。側板部１２は、係止部１２１を備える。
【００２６】
係止部１２１は、袋体３０の持手部３２を係止する。係止部１２１は、各側板部１２ａ，１２ｂの前方の辺に形成された切欠である。係止部１２１は、各側板部１２ａ，１２ｂの前方の辺にそれぞれ２つずつ配置される。すなわち、側板部１２ａは係止部１２１ａ，１２１ａを備え、側板部１２ｂは係止部１２１ｂ，１２１ｂを備える。係止部１２１に持手部３２の一部が挿入されることにより、袋体３０は、枠体１０に取り付けられる。
【００２７】
上板部１３は、下板部１１に対向して配置される。すなわち、上板部１３は、下板部１１の上方に配置される。前述のとおり、上板部１３の外面には、ハンドルＨが取り付けられる。
【００２８】
接合部１４は、側板部１２の外面に接合して、下板部１１と側板部１２と上板部１３とを接続させる。接合部１４は、上板部１３の左右の側辺に連接されて、左右の側辺から下方に９０度折り曲げられた板部である。すなわち、接合部１４は、２つの接合部１４（接合部１４ａ，接合部１４ｂ）で構成される。接合部１４ａは側板部１２ａに接合し、接合部１４ｂは側板部１２ｂに接合する。接合部１４は、例えば、接着剤を介して側板部１２に接合する。側板部１２が接合部１４に接合されることで、枠体１０が構成される。
【００２９】
下板部１１と側板部１２と上板部１３とで構成される枠体１０の前方側の開口は、本考案における第１開口１５である。同枠体１０の後方側の開口は、本考案における第２開口１６である。すなわち、枠体１０は、第１開口１５と第２開口１６とを備える。
【００３０】
第１開口１５は、ゴミの挿入口である。第２開口１６は、第１開口１５から挿入されたゴミの袋体３０への出口である。第２開口１６は、袋体３０の開口（収容部３１の開口）の内部に配置（装着）される。すなわち、第２開口１６は、収容部３１の内部に位置する。
【００３１】
●保持体の構成
図６は、保持体２０を前方から見た前方斜視図である。
図７は、保持体２０を後方から見た後方斜視図である。
図８は、保持体２０の側面図である。
【００３２】
保持体２０は、板部材２１と、基部板２２と、第１レール部材２３と、第２レール部材２４と、係合部２５と、弾性材２６と、を備える。保持体２０は、板部材２１と、基部板２２と、第１レール部材２３と、第２レール部材２４と、弾性材２６と、が組み立てられて構成された組立体である。
【００３３】
板部材２１は、保持体２０のベースとなる板材である。板部材２１は、矩形状である。
【００３４】
基部板２２は、保持体２０に枠体１０が取り付けられたときに下板部１１に対向する板である。基部板２２は、板部材２１の上方の面に配置される。基部板２２は、例えば、接着剤を介して板部材２１に固定される。基部板２２は、矩形状である。基部板２２の左右方向の大きさは、板部材２１の左右方向の大きさと略同じ大きさである。基部板２２の前後方向の大きさは、板部材２１の前後方向の大きさよりも小さい。基部板２２の一端（前方の端）は、板部材２１の一端（前方の端）よりも、他端（後方の端）側に位置する。基部板２２の他端は、板部材２１の他端（後方の端）よりも、一端側に位置する。すなわち、基部板２２の大きさは、板部材２１の大きさよりも小さい。
【００３５】
第１レール部材２３は、枠体１０を左右方向にスライドさせると共に、枠体１０の上下方向の移動（特に、上方への移動）を規制する。第１レール部材２３は、板部材２１の一端側に取り付けられる。第１レール部材２３は、取付面２３１と底面２３２と規制面２３３とで構成される、側面視で略コ字状の部材である。取付面２３１と底面２３２と規制面２３３との内側部分は、本考案における第１内溝部２３ｇである。すなわち、第１レール部材２３は、第１内溝部２３ｇを備える。
【００３６】
取付面２３１は、板部材２１の一端側に取り付けられる。取付面２３１は、例えば、板部材２１の下方の面に接着剤を介して板部材２１に固定される。取付面２３１の左右方向の長さは、板部材２１の左右方向の長さと略同じ長さである。
【００３７】
底面２３２は、取付面２３１と規制面２３３との間に配置されて、取付面２３１と規制面２３３とに連接される。底面２３２は、取付面２３１の一端（前方の端）から上方に９０度折り曲げられた面である。底面２３２の左右方向の長さは、取付面２３１の左右方向の長さと略同じ長さである。
【００３８】
規制面２３３は、保持体２０に枠体１０が取り付けられたときに枠体１０の上方への移動を規制する。規制面２３３は、底面２３２の一端（上方の端）から後方に９０度折り曲げられた面である。規制面２３３の左右方向の長さは、底面２３２の左右方向の長さと略同じ長さである。規制面２３３の一端(後方の端)側は、規制面２３３の下面側において前方に折り返される。規制面２３３の一端側が折り返されるため、規制面２３３の一端側の強度は、高くなる。
【００３９】
第１内溝部２３ｇは、保持体２０に枠体１０が取り付けられたときに枠体１０を左右方向にスライドさせると共に、規制面２３３と共に枠体１０の上下方向の移動を規制する溝である。すなわち、第１内溝部２３ｇは、規制面２３３と共に規制部２７を構成する。第１内溝部２３ｇには、保持体２０に枠体１０が取り付けられたときに下板部１１の一端部（前方の端部）、すなわち、第１開口１５（図２参照）側の端部が配置される。
【００４０】
規制部２７は、下板部１１の他端部（後方の端部）、すなわち、第２開口１６（図３参照）側の端部が後述される保持部２８に保持されているとき、下板部１１の一端部の移動（上方への移動）を規制する。
【００４１】
第２レール部材２４は、枠体１０を左右方向にスライドさせると共に、下板部１１を保持する。第２レール部材２４は、板部材２１の他端側に取り付けられる。第２レール部材２４は、取付面２４１と底面２４２と保持面２４３とで構成される、側面視で略コ字状の部材である。コ字状の内側部分は、本考案における第２内溝部２４ｇである。すなわち、第２レール部材２４は、第２内溝部２４ｇを備える。
【００４２】
取付面２４１は、板部材２１の他端側に取り付けられる。取付面２４１は、例えば、板部材２１の下方の面に接着剤を介して板部材２１に固定される。取付面２４１の左右方向の長さは、板部材２１の左右方向の長さと略同じ長さである。
【００４３】
底面２４２は、取付面２４１と保持面２４３との間に配置されて、取付面２４１と保持面２４３とに連接される。底面２４２は、取付面２４１の一端（後方の端）から上方に９０度折り曲げられた面である。底面２４２の左右方向の長さは、取付面２４１の左右方向の長さと略同じ長さである。
【００４４】
保持面２４３は、保持体２０に枠体１０が取り付けられたときに下板部１１を保持する。保持面２４３は、底面２４２の一端（上方の端）から前方に９０度折り曲げられた面である。保持面２４３の左右方向の長さは、底面２４２の左右方向の長さと略同じ長さである。保持面２４３の一端(前方の端)側は、保持面２４３の下面側において後方に折り返される。保持面２４３の一端側が折り返されるため、保持面２４３の一端側の強度は、高くなる。
【００４５】
ここで、規制面２３３の一端側と、保持面２４３の一端側と、の間の長さは、下板部１１の前後方向の長さよりも短い。
【００４６】
第２内溝部２４ｇは、保持体２０に枠体１０が取り付けられたときに枠体１０を左右方向にスライドさせると共に、保持面２４３と共に下板部１１を保持する溝である。すなわち、第２内溝部２４ｇは、保持面２４３と共に保持部２８を構成する。すなわち、保持体２０は、保持部２８を備える。第２内溝部２４ｇの開口側は、側面視で第１内溝部２３ｇの開口側に対向する。第２内溝部２４ｇには、弾性材２６が配置される。第２内溝部２４ｇ内における弾性材２６は、保持体２０に枠体１０が取り付けられたときに下板部１１の他端部（第２開口１６側の端部）と当接する。すなわち、保持部２８は、下板部１１の他端部を保持する。
【００４７】
係合部２５は、保持体２０を被取付部材Ｄ（図１１参照）に係合させることで、枠体１０が被取付部材Ｄに取り付けられる。被取付部材Ｄは、例えば、机や引き出しなどである。係合部２５は、第１レール部材２３に取り付けられる。係合部２５は、取付面２５１と第１係合面２５２と第２係合面２５３とで構成される、側面視で略コ字状の部材である。
【００４８】
取付面２５１は、第１レール部材２３の取付面２３１に取り付けられる。取付面２５１は、例えば、取付面２３１の下方の面に接着剤を介して取付面２３１に固定される。取付面２５１の左右方向の長さは、取付面２３１の左右方向の長さと略同じ長さである。
【００４９】
第１係合面２５２は、取付面２５１の一端（前方の端）に連接されて、取付面２５１の一端から下方に９０度折り曲げられた面である。第１係合面２５２の左右方向の長さは、取付面２５１の左右方向の長さと略同じである。
【００５０】
第２係合面２５３は、取付面２５１の他端（後方の端）に連接されて、取付面２５１の他端から下方に９０度折り曲げられた面である。第２係合面２５３の左右方向の長さは、取付面２５１の左右方向の長さと略同じである。第２係合面２５３の取付面２５１からの長さ（第２係合面２５３の上下方向の長さ）は、第１係合面２５２の取付面２５１からの長さ（第１係合面２５２の上下方向の長さ）よりも短い。
【００５１】
被取付部材Ｄは、コ字状の空間内、すなわち、第１係合面２５２と取付面２５１と第２係合面２５３とで構成された空間内に配置されることで、係合部２５に係合する。
【００５２】
なお、第２係合面の取付面からの長さは、第１係合面の取付面からの長さよりも短くてもよく、あるいは、第１係合面の取付面からの長さと同じでもよい。
【００５３】
弾性材２６は、前述のとおり、第２内溝部２４ｇに配置される。弾性材２６は、保持体２０に枠体１０が取り付けられたときに下板部１１の他端部（第２開口１６側の端部）が当接する部分である。弾性材２６は、例えば、接着剤を介して底面２４２に固定される。弾性材２６は、例えば、スポンジ状部材である。
【００５４】
なお、弾性材は必須の部材ではない。すなわち、第２内溝部には、弾性材が配置されなくてもよい。この場合、保持体に枠体が取り付けられたときに下板部の他端部は、第２レール部材の底面に当接する。
【００５５】
●枠体の保持方法
次に、枠体１０の保持体２０に対する保持方法が、以下に説明される。以下の説明では、図２、図３、図８も併せて参照される。
【００５６】
図９は、ゴミ入れ１を前方から見た前方斜視図である。
図１０は、ゴミ入れ１の側面図である。
図９と図１０とに示されるゴミ入れ１は、図１に示されるゴミ入れ１から袋体３０が取り除かれた状態を示す。
【００５７】
先ず、使用者は、保持体２０に枠体１０を保持させるとき、第１内溝部２３ｇに下板部１１の一端部（第１開口１５側の端部）を配置する。
【００５８】
次いで、使用者は、第１内溝部２３ｇに下板部１１の一端部を配置させた状態で、第２内溝部２４ｇに下板部１１の他端部（第２開口１６側の端部）を配置する。このとき、第２内溝部２４ｇに下板部１１の他端部は、弾性材２６に当接する。
【００５９】
これにより、下板部１１の他端部は保持部２８に保持されると共に、下板部１１の一端部は規制部２７により移動（上方への移動）が規制される。また、下板部１１が第１レール部材２３の内側および第２レール部材２４の内側を左右方向に移動したとき、側板部１２ａおよび側板部１２ｂが、それぞれ規制面２３３の左右方向の端部および保持面２４３左右方向に端部に当接する。そのため、枠体１０の左右方向への移動は、規制される。
【００６０】
また、前述のとおり、規制面２３３の一端側と、保持面２４３の一端側と、の間の長さは、下板部１１の前後方向の長さよりも短い。そのため、下板部１１の一端部が第１内溝部２３ｇに配置され、下板部１１の他端部が第２内溝部２４ｇに配置されている状態では、下板部１１が保持体２０から抜け落ちることがない。
【００６１】
●ゴミ入れの使用例
図１１は、ゴミ入れ１の使用の一例を示す模式図である。
同図は、被取付部材Ｄとしての机の天板にゴミ入れ１が係止されている状態を示す。
【００６２】
ゴミ入れ１は、水平方向（図１１における紙面左右方向（本考案における上下方向））に延びる被取付部材Ｄの側辺に、係合部２５により取り付けられる。係合部２５の第１係合面２５２と第２係合面２５３とに被取付部材Ｄの両面が係合される、つまり、被取付部材Ｄの両面が第１係合面２５２と第２係合面２５３とより把持されることで、ゴミ入れ１は、被取付部材Ｄから外れない。すなわち、ゴミ入れ１は、被取付部材Ｄから落下しない。
【００６３】
図１２は、ゴミ入れ１の使用の他の一例を示す模式図である。
同図は、被取付部材Ｄとしての例えば机の引き出しの前板にゴミ入れ１Ｘが係止されている状態を示す。
【００６４】
ゴミ入れ１Ｘは、ゴミ入れ１と比較して、係合部２５Ｘの構成がゴミ入れ１の係合部２５と異なる。ゴミ入れ１Ｘのその他の構成はゴミ入れ１の構成と共通するので、説明は省略される。
【００６５】
ゴミ入れ１Ｘの係合部２５Ｘは、取付面２５１Ｘと第１係合面２５２Ｘと第２係合面２５３Ｘとで構成される、側面視で略コ字状の部材である。
【００６６】
取付面２５１Ｘは、第１レール部材２３の取付面２３１に取り付けられる。取付面２５１Ｘは、例えば、取付面２３１の下方の面に接着剤を介して取付面２３１に固定される。
【００６７】
第１係合面２５２Ｘは、取付面２５１Ｘと第２係合面２５３Ｘとの間に配置されて、取付面２５１Ｘと第２係合面２５３Ｘとに連接される。第１係合面２５２Ｘは、取付面２５１Ｘの一端（前方の端）に連接されて、取付面２５１Ｘの一端から下方に９０度折り曲げられた面である。
【００６８】
第２係合面２５３Ｘは、第１係合面２５２Ｘの一端（下方の端）に連接されて、第１係合面２５２Ｘの一端から後方に９０度折り曲げられた面である。
【００６９】
ゴミ入れ１Ｘは、鉛直方向（図１２における紙面上下方向（本考案における前後方向））に延びる被取付部材Ｄ（引き出しの前板）に、係合部２５Ｘにより取り付けられる。係合部２５Ｘの第１係合面２５２Ｘと第２係合面２５３Ｘとに被取付部材Ｄが係合されることで、ゴミ入れ１Ｘは、被取付部材Ｄから外れない。すなわち、ゴミ入れ１Ｘは、被取付部材Ｄから落下しない。
【００７０】
●まとめ
以上説明された実施の形態によれば、ゴミ入れ１は、袋体３０が取り付けられる枠体１０を備える。袋体３０は、持手部３２が係止部１２１（切欠）に挿入されることで、枠体１０に取り付けられる。枠体１０の第２開口１６は、収容部３１の内部に配置される。そのため、掃除をするとき、使用者は、ハンドルＨを握り、下板部１１を床に載置することで、ゴミ入れ１を塵取として使用できる。
【００７１】
また、ゴミ入れ１は、枠体１０を保持する保持体２０を備える。保持体２０は、被取付部材Ｄに取り付けられる。枠体１０は、保持体２０と着脱自在である。そのため、掃除をしないとき、使用者は、ゴミ入れ１をゴミ箱として使用できる。
【００７２】
さらに、枠体１０の保持体２０からの着脱は、下板部１１の一端部が第１内溝部２３ｇに配置され、下板部１１の他端部が第２内溝部２４ｇに配置されるだけなので、容易である。さらにまた、規制面２３３の一端側と、保持面２４３の一端側と、の間の長さは、下板部１１の前後方向の長さよりも短い。そのため、下板部１１の一端部が第１内溝部２３ｇに配置され、下板部１１の他端部が第２内溝部２４ｇに配置されている状態では、下板部１１が保持体２０から抜け落ちることがない。
【００７３】
なお、以上説明した実施の形態によれば、保持体は、第２レール部材を備えていた。しかし、第２レール部材は、なくてもよい。すなわち、例えば、板部材に配置される基部板が保持部として機能すればよい。この場合、例えば、基部板は、金属製である。下板部は、磁石を備える。あるいは、基部板は、磁石を備える。下板部は、金属製である。これにより、下板部（枠体）は磁石の磁力で基部板（保持体）に保持される。その結果、枠体は、保持体から容易に外れない。
【符号の説明】
【００７４】
１，１Ｘ            ゴミ入れ
１０Ａ              第１枠体
１０Ｂ              第２枠体
１１                下板部
１２                側板部
１２ａ，１２ｂ      側板部
１２１              係止部
１２１ａ，１２１ｂ  係止部
１３                上板部
１４                接合部
１４ａ，１４ｂ      接合部
１５                第１開口
１６                第２開口
２０                保持体
２１                板部材
２２                基部板
２３                第１レール部材
２３ｇ              第１内溝部
２３１              取付面
２３２              底面
２３３              規制面
２４                第２レール部材
２４ｇ              第２内溝部
２４１              取付面
２４２              底面
２４３              保持面
２５，２５Ｘ        係合部
２５１，２５１Ｘ    取付面
２５２，２５２Ｘ    第１係合面
２５３，２５３Ｘ    第２係合面
２６                弾性材
２７                規制部
２８                保持部
３０                袋体
３１                収容部
３２                持手部
Ｈ                  ハンドル
Ｄ                  被取付部材
【図１】
0003230657.tif 000003
【図２】
0003230657.tif 000004
【図３】
0003230657.tif 000005
【図４】
0003230657.tif 000006
【図５】
0003230657.tif 000007
【図６】
0003230657.tif 000008
【図７】
0003230657.tif 000009
【図８】
0003230657.tif 000010
【図９】
0003230657.tif 000011
【図１０】
0003230657.tif 000012
【図１１】
0003230657.tif 000013
【図１２】
0003230657.tif 000014